(57)【要約】 【課題】  放射線検出器を導入する際の操作者の作業負荷及び作業ミスを低減させることが可能な技術を提供する。【解決手段】  本発明に係る放射線撮影装置は、放射線を検出する放射線検出器を備える放射線撮影装置であって、第１の放射線検出器を指定する第１の検出器指定手段と、前記放射線撮影装置に予め登録されている第２の放射線検出器を指定する第２の検出器指定手段と、  前記第１の放射線検出器及び前記第２の放射線検出器を指定した後に、前記第２の放射線検出器の設定情報の一部又は全部を前記第１の放射線検出器に関連付ける情報制御手段と、を備える。【選択図】  図１
2018000651.tif 000002
【特許請求の範囲】
【請求項１】
放射線を検出する放射線検出器を備える放射線撮影装置であって、
第１の放射線検出器を指定する第１の検出器指定手段と、
前記放射線撮影装置に予め登録されている第２の放射線検出器を指定する第２の検出器指定手段と、
前記第１の放射線検出器及び前記第２の放射線検出器を指定した後に、前記第２の放射線検出器の設定情報の一部又は全部を前記第１の放射線検出器に関連付ける情報制御手段と、を備えることを特徴とする放射線撮影装置。
【請求項２】
前記情報制御手段は、前記第２の放射線検出器に関連付けられた前記設定情報を解除することを特徴とする請求項１に記載の放射線撮影装置。
【請求項３】
前記設定情報は、放射線検出器が設置される撮影台に関する情報、放射線検出器の種別に関する情報、及び被検者の姿勢に応じた放射線検出器の設置位置に関する情報のうち少なくとも１つを含むことを特徴とする請求項１又は２に記載の放射線撮影装置。
【請求項４】
前記第２の検出器指定手段は、前記放射線撮影装置に登録され、前記放射線撮影装置における前記設定情報に関連付けられている放射線検出器から、前記第１の放射線検出器の種別に関する情報と一致する前記放射線検出器を抽出し、抽出された前記放射線検出器から前記第２の放射線検出器を指定することを特徴とする請求項１乃至３の何れか１項に記載の放射線撮影装置。
【請求項５】
前記第１の検出器指定手段は、前記放射線撮影装置に登録されておらず、前記放射線撮影装置における前記設定情報に関連付けられていない放射線検出器を、前記放射線撮影装置に登録する際に、前記第１の放射線検出器を指定することを特徴とする請求項１乃至４の何れか１項に記載の放射線撮影装置。
【請求項６】
前記第１の検出器指定手段は、前記放射線撮影装置に登録され、前記放射線撮影装置における前記設定情報に関連付けられていない放射線検出器を抽出し、抽出された前記放射線検出器から前記第１の放射線検出器を指定することを特徴とする請求項１乃至５の何れか１項に記載の放射線撮影装置。
【請求項７】
前記第１の検出器指定手段は、放射線検出器の個別情報に基づいて前記第１の放射線検出器を指定することを特徴とする請求項１乃至６の何れか１項に記載の放射線撮影装置。
【請求項８】
前記第２の検出器指定手段は、放射線検出器の個別情報に基づいて前記第２の放射線検出器を指定することを特徴とする請求項１乃至７の何れか１項に記載の放射線撮影装置。
【請求項９】
前記情報制御手段は、前記第１の放射線検出器及び前記第２の放射線検出器の種別に関する情報が一致しない場合、前記設定情報を関連付けることができないことを示す通知を実行することを特徴とする請求項７又は８に記載の放射線撮影装置。
【請求項１０】
前記情報制御手段は、前記第１の放射線検出器及び前記第２の放射線検出器を指定した後に、前記第２の放射線検出器の撮影に関する撮影設定情報の一部又は全部を前記第１の放射線検出器に関連付けることを特徴とする請求項１乃至９の何れか１項に記載の放射線撮影装置。
【請求項１１】
前記撮影設定情報は、前記第２の放射線検出器のキャリブレーション情報、撮影角度情報、及び通信設定情報の少なくとも１つを含むことを特徴とする請求項１０に記載の放射線撮影装置。
【請求項１２】
前記情報制御手段は、前記第２の放射線検出器に関連付けられた前記設定情報を解除した後に、前記第２の放射線検出器が前記放射線撮影装置に再導入された場合、前記解除前の前記第２の放射線検出器の前記設定情報の一部又は全部を、前記再導入された第２の放射線検出器に関連付けることを特徴とする請求項１乃至１０の何れか１項に記載の放射線撮影装置。
【請求項１３】
前記情報制御手段は、前記第２の放射線検出器に関連付けられた前記設定情報を解除した後に、前記第２の放射線検出器が前記放射線撮影装置に再導入された場合、前記解除前の前記第２の放射線検出器の前記撮影設定情報の一部又は全部を、前記再導入された第２の放射線検出器に関連付けることを特徴とする請求項１０又は１１に記載の放射線撮影装置。
【請求項１４】
放射線を検出する放射線検出器を備える放射線撮影装置であって、
第１の放射線検出器を指定する第１の検出器指定手段と、
前記放射線撮影装置に予め登録され、前記第１の放射線検出器の種別と同じ第２の放射線検出器を抽出する抽出手段と、
前記第２の放射線検出器の設定情報の一部又は全部を前記第１の放射線検出器に関連付ける情報制御手段と、を備えることを特徴とする放射線撮影装置。
【請求項１５】
放射線を発生する放射線発生手段と、前記放射線を検出する放射線検出器とを備える放射線撮影システムであって、
第１の放射線検出器を指定する第１の検出器指定手段と、
前記放射線撮影システムに予め登録されている第２の放射線検出器を指定する第２の検出器指定手段と、
前記第１の放射線検出器及び前記第２の放射線検出器を指定した後に、前記第１の放射線検出器に前記第２の放射線検出器の前記設定情報の一部又は全部を関連付ける情報制御手段と、
を備えることを特徴とする放射線撮影システム。
【請求項１６】
放射線を発生する放射線発生手段と、前記放射線を検出する放射線検出器とを備える放射線撮影システムであって、
第１の放射線検出器を指定する第１の検出器指定手段と、
前記放射線撮影システムに予め登録され、前記第１の放射線検出器の種別と同じ第２の放射線検出器を抽出する抽出手段と、
前記第２の放射線検出器の設定情報の一部又は全部を前記第１の放射線検出器に関連付ける情報制御手段と、を備えることを特徴とする放射線撮影システム。
【請求項１７】
前記放射線撮影システムに導入される第１の放射線検出器を指定する工程と、
前記放射線撮影システムに予め登録されている第２の放射線検出器を指定する工程と、
前記第１の放射線検出器及び前記第２の放射線検出器を指定した後に、前記第１の放射線検出器に前記第２の放射線検出器の前記設定情報の一部又は全部を関連付ける工程と、
を含むことを特徴とする放射線撮影方法。
【請求項１８】
前記放射線撮影システムに導入される第１の放射線検出器を指定する工程と、
前記放射線撮影システムに予め登録されている放射線検出器から、前記第１の放射線検出器の種別と同じ第２の放射線検出器を抽出する工程と、
前記第２の放射線検出器の設定情報の一部又は全部を前記第１の放射線検出器に関連付ける工程と、
を含むことを特徴とする放射線撮影方法。
【請求項１９】
コンピュータを請求項１乃至１４の何れか１項に記載の放射線撮影装置の各手段として機能させるためのプログラム。
【発明の詳細な説明】
【技術分野】
【０００１】
本発明は、放射線撮影システムに登録されている放射線検出器を入れ替える放射線撮影装置、放射線撮影システム、放射線撮影方法、及びプログラムに関する。
【背景技術】
【０００２】
従来、医療分野における放射線画像の撮影では、被検者に放射線を照射し、透過した放射線の強度を放射線検出器で検出することにより、放射線画像の撮影を行う放射線撮影システムが知られている。放射線撮影システムでの撮影においては、撮影を行う前に撮影条件を選択する必要がある。通常、撮影する被検者の撮影部位、撮影姿勢、及び撮影に使用する放射線検出器の種別毎に、各々の組合せにおいて最適な画像処理パラメータは異なる。
【０００３】
撮影条件とは、これらの情報を持ち合わせたものからなる。例えば、撮影部位は胸部、撮影姿勢は立位、及び放射線検出器は放射線検出器Ａを使用するという条件で撮影を行いたい場合は、これらの情報を持つ撮影条件を撮影前に選択する。この撮影条件は、撮影部位情報と、設定情報からなる組合せ情報との２つから構成されている。設定情報には、撮影される患者の姿勢に応じた放射線検出器の設置位置情報や、使用する放射線検出器の機器情報が関連付けられている。
【０００４】
放射線撮影システムに新しい放射線検出器を導入する場合、新しい設定情報を作成し、膨大な数の撮影部位情報と新しく作成された設定情報を関連付ける作業は、操作者の負担となることがある。これに対し、特許文献１では、Ｘ線センサーの転用可能な撮影条件を選択し、転用可能な撮影条件を別のＸ線センサーに設定するＸ線撮影制御装置が提案されている。
【先行技術文献】
【特許文献】
【０００５】
【特許文献１】特開２０１３−３９１９８号公報
【発明の概要】
【発明が解決しようとする課題】
【０００６】
しかしながら、特許文献１の技術は、設定情報を新規に作成した場合を想定している。そのため、例えば、放射線検出器が故障した際に代替検出器と入れ替える場合や、老朽化により新しい放射線検出器と入れ替える場合は、放射線検出器の設定情報の関連付けにおいて、追加と解除を操作者が手動で行う必要があった。そのため、関連付けの追加及び解除の作業が操作者の負担となることや、特定の設定情報との関連付けの更新を忘れるといった作業ミスにつながる可能性がある。
【０００７】
そこで、本発明は、放射線検出器を導入する際の操作者の作業負荷を低減させることが可能な技術を提供することを目的とする。
【課題を解決するための手段】
【０００８】
本発明に係る放射線撮影装置は、放射線を検出する放射線検出器を備える放射線撮影装置であって、第１の放射線検出器を指定する第１の検出器指定手段と、前記放射線撮影装置に予め登録されている第２の放射線検出器を指定する第２の検出器指定手段と、  前記第１の放射線検出器及び前記第２の放射線検出器を指定した後に、前記第２の放射線検出器の設定情報の一部又は全部を前記第１の放射線検出器に関連付ける情報制御手段と、を備える。
【発明の効果】
【０００９】
本発明によれば、放射線検出器を導入する際の操作者の作業負荷を低減させることが可能な技術を提供することができる。
【図面の簡単な説明】
【００１０】
【図１】本発明の実施形態に係る放射線撮影システムの一例を示す構成図である。
【図２】本発明の実施形態に係る設定情報画面のＧＵＩの一例を示す図である。
【図３】本発明の実施形態に係る設定情報追加画面のＧＵＩの一例を示す図である。
【図４】本発明の第１の実施形態に係る処理を示すフローチャートである。
【図５】本発明の第１の実施形態に係る入替情報画面のＧＵＩの一例を示す図である。
【図６】本発明の第２の実施形態に係る処理を示すフローチャートである。
【図７】本発明の第２の実施形態に係る入替情報画面のＧＵＩの一例を示す図である。
【図８】本発明の第３の実施形態に係る処理を示すフローチャートである。
【図９】本発明の第３の実施形態に係る放射線撮影システムの一例を示す構成図である。
【図１０】本発明の第３の実施形態に係る入替情報画面及び通知メッセージのＧＵＩの一例を示す図である。
【図１１】本発明の第４の実施形態に係る検出器情報の一例を示す図である。
【図１２】本発明の第４の実施形態に係る処理を示すフローチャートである。
【図１３】本発明の第５の実施形態に係る検出器情報の一例を示す図である。
【図１４】本発明の第５の実施形態に係る処理を示すフローチャートである。
【図１５】本発明の第６の実施形態に係る複数の放射線撮影システムのシステム構成の一例を示す図である。
【図１６】本発明の第６の実施形態に係る処理を示すフローチャートである。
【図１７】本発明の第７の実施形態に係るログイン画面のＧＵＩの一例を示す図である。
【図１８】本発明のその他の実施形態に係る導入検出器情報画面のＧＵＩの一例を示す図である。
【図１９】本発明のその他の実施形態に係る参照検出器情報画面のＧＵＩの一例を示す図である。
【図２０】本発明のその他の実施形態に係る設定情報選択画面のＧＵＩの一例を示す図である。
【図２１】本発明のその他の実施形態に係る設定情報選択画面のＧＵＩの一例を示す図である。
【発明を実施するための形態】
【００１１】
以下、添付図面を参照して本発明の好適な実施の形態を説明する。なお、以下の実施の形態は特許請求の範囲に係る発明を限定するものでなく、また本実施の形態で説明されている特徴の組み合わせのすべてが発明の解決手段に必須のものとは限らない。
【００１２】
（第１の実施形態）
＜放射線撮影システムの概略構成＞
図１は、本実施形態における放射線撮影システム１００のシステム構成の一例を示す図である。放射線撮影システム１００は、制御装置１１０と、表示部１１１と、操作部１１２と、撮影台１１３Ａ，１１３Ｂと、放射線発生部１１４Ａ，１１４Ｂと、放射線検出器１１５Ａ，１１５Ｂとを備えている。なお、以降の説明では便宜上、放射線発生部１１４Ａ，１１４Ｂを単に放射線発生部１１４といい、放射線検出器１１５Ａ，１１５Ｂを単に放射線検出器１１５という場合がある。
【００１３】
制御装置１１０は、表示部１１１、操作部１１２、放射線発生部１１４Ａ，１１４Ｂ、及び放射線検出器１１５Ａ，１１５Ｂと、有線又は無線で電気的に接続されており、各機器の動作を制御する。また、制御装置１１０は、放射線科情報システム（ＲＩＳ）１３０、画像サーバ（ＰＡＣＳ）１４０、院内情報システム（ＨＩＳ）１５０とネットワーク１２０を介して接続されており、放射線画像や患者情報などをやり取りすることができる。
【００１４】
制御装置１１０は、第１の検出器指定部１６１、第２の検出器指定部１６２、及び情報制御部１６３を備える。第１の検出器指定部１６１は、放射線撮影システム１００に導入される第１の放射線検出器を指定する。第２の検出器指定部１６２は、放射線撮影システム１００に予め登録され、放射線撮影システム１００における設定情報に関連付けられている第２の放射線検出器を指定する。
【００１５】
制御装置１１０は、放射線を検出する放射線検出器を備える放射線撮影装置に含まれる。放射線検出器は、放射線撮影システム１００の代わりに、放射線撮影装置に登録されていてもよい。第１の検出器指定部１６１は、第１の放射線検出器を指定する。第２の検出器指定部１６２は、放射線撮影装置に予め登録されている第２の放射線検出器を指定する。  
【００１６】
情報制御部１６３は、第１の放射線検出器及び第２の放射線検出器を指定した後に、第１の放射線検出器及び第２の放射線検出器を入れ替える入替指示を実行し、第１の放射線検出器に第２の放射線検出器の設定情報の一部又は全部を関連付ける。
【００１７】
表示部１１１は、撮影検査情報や撮影された放射線画像などの各種の情報を表示する。操作部１１２は、操作者からの入力情報を受け付ける。本実施形態では、表示部１１１はモニタなどであり、操作部１１２はキーボードやマウスやタッチパネルなどである。
【００１８】
放射線発生部１１４Ａ，１１４Ｂは、放射線を発生させる放射線管を具備しており、被写体である患者１１６Ａ，１１６Ｂに対して放射線を照射する。患者１１６Ａは立位であり、患者１１６Ｂは仰臥位である。放射線発生部１１４Ａ，１１４Ｂと、撮影台１１３Ａ，１１３Ｂに設置された放射線検出器１１５Ａ，１１５Ｂとが撮影に適した位置に配置されている。
【００１９】
放射線検出器１１５Ａ，１１５Ｂは、それぞれ放射線発生部１１４Ａ，１１４Ｂから照射された放射線を検出する。制御装置１１０は、放射線検出器１１５Ａ，１１５Ｂで検出されて取得された放射線画像データに対して画像処理を施して、放射線画像として表示部１１１に表示する。
【００２０】
なお、本実施形態における放射線撮影システム１００は、放射線科情報システム（ＲＩＳ）１３０と、画像サーバ（ＰＡＣＳ）１４０と、院内情報システム（ＨＩＳ）１５０と通信するものとして説明を行うが、これらの一部を含まない構成にしてもよい。また、図１の例では、撮影台１１３Ａ，１１３Ｂ、放射線発生部１１４Ａ，１１４Ｂ、及び放射線検出器１１５Ａ，１１５Ｂについて説明したが、更なる撮影台、放射線発生部、及び放射線検出器の組み合わせが放射線撮影システム１００に含まれていてもよい。また、上述した放射線撮影システム１００の機能が１つの装置で実現されるような構成としてもよい。
【００２１】
＜設定情報画面の一例＞
図２は、本実施形態における表示部１１１に表示される設定情報画面２００の一例を示す図である。設定情報は、放射線撮影システム１００における放射線検出器１１５の設置に関する情報である。本実施形態では、設定情報は、放射線検出器１１５が設置される撮影台に関する情報（撮影台情報）、放射線検出器１１５の種別に関する情報（種別情報）、及び被検者の姿勢に応じた放射線検出器１１５の設置位置に関する情報（設置位置情報）を含む。
【００２２】
設定情報画面２００は、設定情報一覧２０１、追加指示部２０２、削除指示部２０３、設定機器情報２０４、設置撮影台情報２０５、設置位置選択部２０６、及び種別選択部２０７を有している。さらに、設定情報画面２００は、設定機器一覧２１０、設置完了指示部２１１、及び設置取消指示部２１２を有している。
【００２３】
設定情報一覧２０１は、放射線撮影システム１００で設定されている設定情報の一覧を表示し、設定情報一覧２０１には、撮影台情報２０１Ａ、種別情報２０１Ｂ、及び設置位置情報２０１Ｃが表示される。追加指示部２０２は、新規に設定情報を作成するためのボタンである。削除指示部２０３は、設定情報一覧２０１で選択された設定情報を削除するためのボタンである。設定情報一覧２０１で未選択の場合、削除指示部２０３は無効となる。
【００２４】
設定機器情報２０４は、設定情報一覧２０１で選択された設定情報の詳細が表示される。設置撮影台情報２０５は、放射線検出器１１５が設定される撮影台の名称を含み、キーボードなどの操作部１１２を介してテキストボックスなどに入力することにより変更することができる。設置位置選択部２０６は、設定情報の設置位置情報を表示及び変更することができる領域であり、コンボボックスなどの設置位置情報の一覧から選択することができる。
【００２５】
種別選択部２０７は、設定情報において関連付けられる放射線検出器１１５の種別を表示及び変更することができる領域であり、コンボボックスなどの種別情報の一覧から選択可能である。設定機器一覧２１０は、放射線撮影システム１００に登録されている放射線検出器１１５の一覧を表示する。放射線検出器１１５の一覧には、設定情報と関連付けられているか否かを表すチェックボックス２１０Ａ、各放射線検出器１１５の名称（モデル）２１０Ｂ、各放射線検出器１１５のシリアルナンバー２１０Ｃ、及び各放射線検出器１１５の種別情報２１０Ｄが表示される。
【００２６】
チェックボックス２１０Ａにチェックをすることで、設定機器情報２０４に表示されている設定情報と放射線検出器１１５とが関連付けられる。このとき、関連付けを行う放射線検出器１１５の種別情報２１０Ｄと種別選択部２０７で表示されている種別情報とが一致しないと、チェックボックス２１０Ａにチェックをすることはできない。設置完了指示部２１１は、設定情報の設定内容の確定を指示するボタンである。設置取消指示部２１２は、設定情報の設定の変更内容の取り消しを指示するボタンである。
【００２７】
＜設定情報追加画面の一例＞
図３は、設定情報画面２００に表示されている追加指示部２０２のボタンを押下した際に、表示部１１１に表示される設定情報追加画面３００の一例を示す図である。設定情報追加画面３００は、設置撮影台情報３０１、設置位置選択部３０２、種別選択部３０３、追加機器一覧３０４、追加完了指示部３０５、及び追加取消指示部３０６を有している。
【００２８】
設置撮影台情報３０１は、放射線検出器１１５が設定される撮影台の名称を含み、キーボードなどの操作部１１２を介してテキストボックスなどに入力することにより設定することができる。設置位置選択部３０２は、設定情報の設置位置情報を設定することができる領域であり、コンボボックスなどの設置位置情報の一覧から選択することができる。種別選択部３０３は、撮影台情報における放射線検出器の種別情報を設定することができる領域であり、コンボボックスなどの種別情報の一覧から選択することができる。
【００２９】
追加機器一覧３０４は、放射線撮影システム１００に登録されている放射線検出器１１５の一覧を表示する。追加機器一覧３０４には、設定情報と関連付けるためのチェックボックス３０４Ａ、各放射線検出器１１５の名称（モデル）３０４Ｂ、各放射線検出器１１５のシリアルナンバー３０４Ｃ、及び各放射線検出器１１５の種別情報３０４Ｄが表示される。
【００３０】
チェックボックス３０４Ａにチェックをすることで、設置撮影台情報３０１、設置位置選択部３０２、及び種別選択部３０３で作成中の設定情報と放射線検出器１１５とが関連付けられる。このとき、関連付けを行う放射線検出器１１５の種別情報３０４Ｄと種別選択部３０３で表示されている種別情報とが一致しないと、チェックボックス３０４Ａにチェックをすることはできない。
【００３１】
追加完了指示部３０５は、設定情報の作成内容の確定を指示するボタンである。追加機器一覧３０４のチェックボックス３０４Ａに少なくとも１つ以上チェックがされていない場合、追加完了指示部３０５は無効となる。追加完了指示部３０５から追加完了指示が実行されて追加設定が完了すると、設定情報画面２００の設定情報一覧２０１に追加された設定情報が表示される。
【００３２】
追加取消指示部３０６は、設定情報の作成の取り消しを指示するボタンである。設置取消指示部３０６から作成取り消し指示が実行されると、設定情報追加画面３００の指示を廃棄し、設定情報追加画面３００の表示を終了し、設定情報画面２００が表示される。
【００３３】
操作者は、操作部１１２を介して各ボタンなどを選択指示することができる。また、表示部１１１がタッチパネルである場合、操作者は、設定情報画面２００又は設定情報追加画面３００を直接タッチ操作することで、各ボタンなどを選択指示してもよい。
【００３４】
＜入替処理の一例＞
次に、放射線撮影システム１００に登録され、放射線撮影システム１００（又は、放射線撮影装置）における設定情報に関連付けられている放射線検出器（解除検出器）を、放射線撮影システム１００に導入される第１の放射線検出器（導入検出器）と入れ替える処理について説明する。図４は、導入検出器（第１の放射線検出器）が放射線撮影システム１００に登録される際に、制御装置１１０が、解除検出器（第２の放射線検出器）を導入検出器（第１の放射線検出器）と入れ替える処理の一例を示すフローチャートである。
【００３５】
解除検出器（第２の放射線検出器）は、導入検出器（第１の放射線検出器）と入れ替えられ、設定情報との関連付けを解除される。
【００３６】
ステップＳ４０１で、放射線撮影システム１００に未登録であった第１の放射線検出器（導入検出器）が登録されたか否かが判定される。登録されたと判定された場合、ステップＳ４０２に進み、登録されていないと判定された場合、登録されるまで待機する。
【００３７】
ステップＳ４０２で、第１の放射線検出器の種別情報を特定する。ステップＳ４０３において、ステップＳ４０２で特定された第１の放射線検出器の種別情報と一致する放射線検出器１１５を放射線撮影システム１００からすべて検出する。ステップＳ４０４において、ステップＳ４０３で検出された放射線検出器１１５のうち、設定情報に関連付けられている放射線検出器１１５を抽出する。
【００３８】
このように、第２の検出器指定部１６２は、放射線撮影システム１００に予め登録され、放射線撮影システム１００における設定情報に関連付けられている放射線検出器から、第１の放射線検出器の種別に関する情報と一致する放射線検出器を抽出する。
【００３９】
ステップＳ４０５において、ステップＳ４０４で抽出された放射線検出器１１５が１つ以上存在すると判定された場合、ステップＳ４０６に進み、存在しないと判定された場合、処理は終了する。ステップＳ４０６において、操作部１１２からの入力に応じて、第２の検出器指定部１６２は、ステップＳ４０４で抽出された放射線検出器１１５から、第１の放射線検出器と入れ替えられる第２の放射線検出器を指定する。このように、第２の検出器指定部１６２は、放射線撮影システム１００に登録され、放射線撮影システム１００の設定情報に関連付けられている第２の放射線検出器を指定する。
【００４０】
ステップＳ４０７において、情報制御部１６３は、ステップＳ４０６で指定された第２の放射線検出器に関連付けられている設定情報を、ステップＳ４０１で登録された第１の放射線検出器に関連付ける。第１の検出器指定部１６１は、ステップＳ４０１で登録された第１の放射線検出器を指定している。情報制御部１６３は、第１の放射線検出器及び第１の放射線検出器を指定した後に、第１の放射線検出器及び第２の放射線検出器を入れ替える入替指示を実行し、第１の放射線検出器に第２の放射線検出器の設定情報の一部又は全部を関連付ける。
【００４１】
また、制御部１１０が、放射線を検出する放射線検出器を備える放射線撮影装置に含まれる場合は、第１の放射線検出器の種別と同じ第２の放射線検出器を抽出する抽出部が備えられてもよい。この場合、第１の検出器指定部１６１は、第１の放射線検出器を指定し、情報制御部１６３は、第２の放射線検出器の設定情報の一部又は全部を第１の放射線検出器に関連付ける。
【００４２】
ステップＳ４０８において、ステップＳ４０６で指定された第２の放射線検出器と設定情報との関連付けを解除する。情報制御部１６３は、第２の放射線検出器に関連付けられた設定情報を解除する。この場合、解除検出器（第２の放射線検出器）は、放射線撮影システム１００から登録を解除されてもよい。
【００４３】
＜入替情報画面の一例＞
図５は、本実施形態において図４に示すフローチャートを実現するために表示部１１１に表示される入替情報画面５００の一例を示す図である。
【００４４】
入替情報画面５００は、導入検出器情報５０１、解除検出器情報５０２、入替指示部５０３、及び入替取消指示部５０４を有している。
【００４５】
導入検出器情報５０１は、ステップＳ４０１で登録された第１の放射線検出器（導入検出器）の情報を表示するための領域である。導入検出器情報５０１には、第１の放射線検出器の名称（モデル）、シリアルナンバー、及び種別情報が表示される。解除検出器情報５０２は、放射線撮影システム１００に登録され、放射線撮影システム１００における設定情報に関連付けられている放射線検出器から、第２の放射線検出器（解除検出器）を指定することができる領域である。
【００４６】
解除検出器情報５０２で第２の放射線検出器を指定する処理は、ステップＳ４０６に対応し、解除検出器情報５０２のチェックボックスにチェックすることで、第２の検出器指定部１６２が、第２の放射線検出器（解除検出器）を指定する。
【００４７】
解除検出器情報５０２は、放射線撮影システム１００に登録されている放射線検出器１１５のうち、導入検出器情報５０１の第１の放射線検出器の種別情報と一致する放射線検出器を指定することで、第２の放射線検出器を指定することができる。指定可能な第２の放射線検出器は、ステップＳ４０４で抽出された放射線検出器１１５であり、設定情報に関連付けられている放射線検出器１１５である。
【００４８】
入替指示部５０３は、第１の放射線検出器及び第２の放射線検出器を入れ替え、第１の放射線検出器に第２の放射線検出器の設定情報を関連付ける入替指示を実行するボタンである。解除検出器情報５０２のチェックボックスに少なくとも１つ以上チェックがされていない場合、入替指示部５０３は無効となる。入替指示部５０３から入替処理指示が入力されると、ステップＳ４０７及びステップＳ４０８が実行される。
【００４９】
入れ替えが完了すると、設定情報画面２００の設定機器一覧２１０において、第１の放射線検出器が、第２の放射線検出器の設定情報と関連付けられた状態（第１の放射線検出器のチェックボックス２１０Ａがチェックされた状態）で表示される。また、設定情報画面２００の設定機器一覧２１０において、第２の放射線検出器が、設定情報との関連付けを解除された状態（第２の放射線検出器のチェックボックス２１０Ａのチェックが解除された状態）で表示される。
【００５０】
入替取消指示部５０４は、設定情報の作成の取り消しを指示するボタンである。入替取消指示部５０４から設定取り消し指示が入力されると、入替情報画面５００の指示を廃棄し、入替情報画面５００の表示を終了する。
【００５１】
操作者は、操作部１１２を介して各ボタンなどを選択指示することができる。また、表示部１１１がタッチパネルである場合、操作者は、設定情報画面２００又は設定情報追加画面３００を直接タッチ操作することで、各ボタンなどを選択指示してもよい。
【００５２】
本実施形態によれば、放射線検出器を導入する際に放射線検出器に設定情報を関連付ける操作者の作業負荷及び作業ミスを低減させることができる。
【００５３】
（第２の実施形態）
第１の実施形態では、第１の放射線検出器を登録するときに、第１の放射線検出器に設定情報を関連付ける例を説明した。第２の実施形態では、放射線撮影システム１００に登録済みで且つ設定情報に関連付けられていない第１の放射線検出器を、放射線撮影システム１００に登録済みで且つ設定情報に関連付けられている第２の放射線検出器と入れ替える例を説明する。
【００５４】
なお、上記の実施形態と同様の構成、機能、及び動作についての説明は省略し、主に本実施形態との差異について説明する。
【００５５】
＜入替処理の一例＞
図６は、本実施形態における放射線撮影システム１００に登録済みの放射線検出器のうち、設定情報に未設定の第１の放射線検出器と、設定情報に設定済みの第２の放射線検出器とを入れ替える処理の一例を示すフローチャートである。
【００５６】
ステップＳ６０１で、放射線撮影システム１００に登録されている放射線検出器のうち、設定情報に関連付けられていない放射線検出器を抽出する。ステップＳ６０２で、抽出した結果が１つ以上存在するか否かの判定を行い、１つも存在しない場合は処理を終了する。抽出した結果が１つ以上存在する場合は、ステップＳ６０３において、ステップＳ６０１で抽出された放射線検出器のうち、第１の検出器指定部１６１は、第１の放射線検出器（導入検出器）を指定する。
【００５７】
ステップＳ６０４で、第１の放射線検出器の種別情報を特定する。ステップＳ６０５において、ステップＳ６０４で特定された第１の放射線検出器の種別情報と一致する種別情報を持つ放射線検出器を放射線撮影システム１００からすべて検出する。ステップＳ６０６において、ステップＳ６０５で検出された放射線検出器のうち、設定情報に関連付けられている放射線検出器を抽出する。
【００５８】
このように、第２の検出器指定部１６２は、放射線撮影システム１００に登録され、放射線撮影システム１００における設定情報に関連付けられている放射線検出器から、第１の放射線検出器の種別に関する情報と一致する放射線検出器を抽出する。
【００５９】
ステップＳ６０７で、抽出した結果が１つ以上存在するか否かを判定し、１つも存在しない場合は処理を終了する。抽出した結果が１つ以上存在する場合は、ステップＳ６０８において、操作者は、ステップＳ６０７で抽出された放射線検出器から、ステップＳ６０３で指定された第１の放射線検出器と入れ替える第２の放射線検出器（解除検出器）を操作部１１２で指定する。つまり、第２の検出器指定部１６２は、放射線撮影システム１００に登録され、放射線撮影システム１００における設定情報に関連付けられている第２の放射線検出器を、ステップＳ６０７で抽出された放射線検出器から指定する。
【００６０】
ステップＳ６０９において、ステップＳ６０３で指定された第１の放射線検出器に、ステップＳ６０８で指定された第２の放射線検出器に関連付けられている設定情報の一部又は全部を関連付ける。ステップＳ６１０において、ステップＳ６０８で指定された第２の放射線検出器と設定情報との関連付けを解除する。このとき、情報制御部１６３は、第２の放射線検出器に関連付けられた設定情報を解除する。
【００６１】
＜入替情報画面の一例＞
図７は、本実施形態において図６に示すフローチャートを実現するために表示部１１１に表示される入替情報画面７００の一例を示す図である。
【００６２】
入替情報画面７００は、導入検出器情報７０１、解除検出器情報７０２、入替指示部７０３、及び入替取消指示部７０４を有している。
【００６３】
導入検出器情報７０１は、ステップＳ６０１で抽出された第１の放射線検出器の情報を一覧表示するための領域である。導入検出器情報７０１には、第１の放射線検出器の名称（モデル）、シリアルナンバー、及び種別情報が表示される。解除検出器情報７０２は、放射線撮影システム１００に登録され、放射線撮影システム１００における設定情報に関連付けられている放射線検出器から、第２の放射線検出器（解除検出器）を指定することができる領域である。
【００６４】
解除検出器情報７０２は、放射線撮影システム１００に登録され、放射線撮影システム１００における設定情報に関連付けられている放射線検出器から、第２の放射線検出器（解除検出器）を指定することができる領域である。解除検出器情報７０２には、第２の放射線検出器を指定するチェックボックス、放射線検出器の検出器名、シリアルナンバー、種別情報、及び関連付けられている設定情報が表示される。
【００６５】
放射線撮影システム１００に登録されている放射線検出器のうち、設定情報に関連付けられているが、導入検出器情報７０１で選択された第１の放射線検出器の種別と一致しない場合、解除検出器情報７０２のチェックボックスにチェックをすることはできない。チェック可能な放射線検出器は、ステップＳ６０５及びステップＳ６０６で抽出された放射線検出器（放射線撮影システム１００に登録され、放射線撮影システム１００における設定情報に関連付けられている放射線検出器）である。
【００６６】
入替指示部７０３は、第１の放射線検出器及び第２の放射線検出器を入れ替え、第１の放射線検出器に第２の放射線検出器の設定情報を関連付ける入替指示を実行するボタンである。解除検出器情報７０２のチェックボックスに少なくとも１つ以上チェックがされていない場合、入替指示部５０３は無効となる。入替指示部５０３から入替処理指示が入力されると、ステップＳ６０９及びステップＳ６１０が実行される。
【００６７】
入れ替えが完了すると、設定情報画面２００の設定機器一覧２１０において、第１の放射線検出器が、第２の放射線検出器の設定情報と関連付けられた状態（第１の放射線検出器のチェックボックス２１０Ａがチェックされた状態）で表示される。また、設定情報画面２００の設定機器一覧２１０において、第２の放射線検出器が、設定情報との関連付けを解除された状態（第２の放射線検出器のチェックボックス２１０Ａのチェックが解除された状態）で表示される。
【００６８】
入替取消指示部７０４は、設定情報の作成の取り消しを指示するボタンである。入替取消指示部７０４から設定取り消し指示が入力されると、入替情報画面７００の指示を廃棄し、入替情報画面７００の表示を終了する。
【００６９】
操作者は操作部１１２を介して各ボタンなどを選択指示することができる。また、表示部１１１がタッチパネルである場合、操作者は、設定情報画面２００又は設定情報追加画面３００を直接タッチ操作することで、各ボタンなどを選択指示してもよい。
【００７０】
本実施形態によれば、放射線検出器を導入する際に放射線検出器に設定情報を関連付ける操作者の作業負荷及び作業ミスを低減させることができる。
【００７１】
（第３の実施形態）
第１の実施形態及び第２の実施形態では、第２の放射線検出器（解除検出器）の選択方法として、放射線撮影システム１００に登録済みの第２の放射線検出器の一覧から選択する例を説明した。第３の実施形態では、一意の入替対象の放射線検出器（第１の放射線検出器及び第２の放射線検出器）を指定する手段で入れ替えを行う例を説明する。
【００７２】
なお、上記の実施形態と同様の構成、機能、及び動作についての説明は省略し、主に本実施形態との差異について説明する。
【００７３】
＜入替処理の一例＞
図８は、設定情報に未設定の第１の放射線検出器と、本実施形態における放射線撮影システム１００に登録済み且つ設定情報に設定済みの第２の放射線検出器とを一意に入れ替える処理の一例を示すフローチャートである。
【００７４】
ステップＳ８０１で、第１の検出器指定部１６１は、第１の放射線検出器（導入検出器）を指定する。これは、ステップＳ４０１のように、放射線検出器を放射線撮影システム１００に登録する際に、第１の検出器指定部１６１が第１の放射線検出器を指定してもよい。また、放射線撮影システム１００に登録されている放射線検出器情報のうち、設定情報に関連付けられていない放射線検出器をシリアルナンバーなどの個別情報に基づいて、第１の検出器指定部１６１が第１の放射線検出器を指定してもよい。
【００７５】
ステップＳ８０２で、第２の検出器指定部１６２は、放射線撮影システム１００に登録されている放射線検出器のうち、設定情報に関連付けられている放射線検出器を第２の放射線検出器（解除検出器）として指定する。これは、放射線撮影システム１００に登録されている放射線検出器情報のうち、設定情報に関連付けられている放射線検出器をシリアルナンバーなどの個別情報に基づいて、第２の検出器指定部１６２が第２の放射線検出器を指定してもよい。
【００７６】
ステップＳ８０３において、情報制御部１６３は、ステップＳ８０１で指定された第１の放射線検出器（導入検出器）の種別情報と、ステップＳ８０２で指定された第２の放射線検出器（解除検出器）の種別情報が一致するか否かの判定を行う。判定の結果、一致しない場合は、入替ができない旨（または、設定情報を関連付けることができない旨）を操作者に通知し、処理を終了する（ステップＳ８０６）。この場合、情報制御部１６３は、第１の放射線検出器及び第２の放射線検出器の種別に関する情報が一致しない場合、設定情報を関連付けることができないことを示す通知を実行する。
【００７７】
判定の結果、一致する場合は、情報制御部１６３は、ステップＳ８０１で指定された第１の放射線検出器に、ステップＳ８０２で指定された第２の放射線検出器情報に関連付けられた設定情報の一部又は全部を関連付ける（ステップＳ８０４）。ステップＳ８０５において、ステップＳ８０２で指定された第２の放射線検出器と設定情報との関連付けを解除する。このとき、情報制御部１６３は、第２の放射線検出器に関連付けられた設定情報を解除する。
【００７８】
＜放射線撮影システムの概略構成＞
図９は、本実施形態において図８に示すフローチャートを実現するための放射線撮影システム１００のシステム構成の一例を示す図である。図９では、本実施形態に関わる箇所を主に記載し、図１と重複する記載は省略する。
【００７９】
制御装置１１０は、放射線検出器１１５Ａ，１１５Ｂで検出されて取得された放射線画像データを収集するために、検出器通信部９００を更に含む。検出器通信部９００は、放射線撮影システム１００に放射線検出器を登録する際に、制御装置１１０が通信を行って放射線検出器の情報を取得するために使用されてもよい。
【００８０】
ステップＳ８０１における第１の放射線検出器（導入検出器）の指定は、検出器通信部９００と、設定情報が未設定である放射線検出器９０１とが通信することで実現される。同様に、ステップＳ８０２における第２の放射線検出器（解除検出器）の指定も、検出器通信部９００と、設定情報が設定済みである放射線検出器１１５Ａ又は放射線検出器１１５Ｂとが通信することで実現される。
【００８１】
また、ステップＳ８０１において、放射線検出器９０１が放射線撮影システム１００に登録済みである場合、放射線検出器９０１を特定するためにシリアルナンバーなどの個別情報を操作部１１３から入力する。これにより、第１の検出器指定部１６１は、放射線検出器９０１を第１の放射線検出器として指定してもよい。同様に、ステップＳ８０２において、設定情報が設定済みである放射線検出器１１５Ａ又は放射線検出器１１５Ｂを特定するために、シリアルナンバーなどの個別情報を操作部１１３から入力することで、第２の放射線検出器が指定されてもよい。
【００８２】
＜入替情報画面の一例＞
図１０は、本実施形態において図８に示すフローチャートを実現するために表示部１１２に表示される入替情報画面１０００及び通知メッセージ１０１０の一例を示す図である。
【００８３】
入替情報画面１０００は、第１の個別情報入力部１００１、第１の検索指示部１００２、導入検出器表示部１００３、第２の個別情報入力部１００４、第２の検索指示部１００５、及び解除検出器表示部１００６、入替指示部１００７、及び入替取消指示部１００８を有している。
【００８４】
第１の個別情報入力部１００１は、設定情報に関連付けられていない放射線検出器を特定するための個別情報を入力する領域で、放射線検出器のシリアルナンバーなどの個別情報を入力する。第１の検索指示部１００２は、第１の個別情報入力部１００１に入力された個別情報により、放射線撮影システム１００に登録された放射線検出器から、第１の放射線検出器（導入検出器）を特定する。つまり、第１の検出器指定部１６１は、放射線検出器の個別情報に基づいて第１の放射線検出器を指定する。
【００８５】
これらの特定処理は、図９に示す検出器通信部９００を介して行われてもよい。特定処理はステップＳ８０１に対応する。特定された放射線検出器の情報を、導入検出器表示部１００３が表示する。
【００８６】
第２の個別情報入力部１００４は、設定情報に関連付けられている放射線検出器を特定するための情報を入力する領域で、放射線検出器のシリアルナンバーなどの個別情報を入力する。第２の検索指示部１００５は、第２の個別情報入力部１００４に入力された個別情報により、放射線撮影システム１００に登録された放射線検出器から、第２の放射線検出器（解除検出器）を特定する。つまり、第２の検出器指定部１６２は、放射線検出器の個別情報に基づいて第２の放射線検出器を指定する。
【００８７】
これらの特定処理は、図９に示す検出器通信部９００を介して行われてもよい。特定処理はステップＳ８０２に対応する。特定された放射線検出器情報を、解除検出器表示部１００６が表示する。
【００８８】
入替指示部１００７から入替処理指示が入力されると、ステップＳ８０３に対応する判定処理が実行される。ステップＳ８０４及びステップＳ８０５の処理が完了すると、設定情報画面２００の設定機器一覧２１０において、第１の放射線検出器が、第２の放射線検出器の設定情報と関連付けられた状態で表示される。この場合、第１の放射線検出器のチェックボックス２１０Ａがチェックされる。また、設定情報画面２００の設定機器一覧２１０において、第２の放射線検出器が、設定情報との関連付けを解除された状態（第２の放射線検出器のチェックボックス２１０Ａのチェックが解除された状態）で表示される。
【００８９】
ステップＳ８０３の判定処理によって、導入検出器表示部１００３及び解除検出器表示部１００６の種別情報が異なると判定された場合、第１の放射線検出器と第２の放射線検出器の入れ替え処理が実施できない旨を通知する通知メッセージ１０１０が表示される。この通知メッセージ１０１０はステップＳ８０６に対応する。
【００９０】
操作者は、操作部１１２を介して各ボタンなどを選択指示することができる。また、表示部１１１がタッチパネルである場合、操作者は、設定情報画面２００又は設定情報追加画面３００を直接タッチ操作することで、各ボタンなどを選択指示してもよい。
【００９１】
本実施形態によれば、放射線検出器を導入する際に放射線検出器に設定情報を関連付ける操作者の作業負荷及び作業ミスを低減させることができる。
【００９２】
（第４の実施形態）
第１の実施形態乃至第３の実施形態では、入替処理によって、設定情報との関連付けの追加及び解除を実施する例を説明した。第４の実施形態では、入替処理で上記の処理に加え、第２の放射線検出器（解除検出器）の撮影に関する撮影設定情報を第１の放射線検出器（導入検出器）に承継する例を説明する。
【００９３】
なお、上記の実施形態と同様の構成、機能、及び動作についての説明は省略し、主に本実施形態との差異について説明する。
【００９４】
情報制御部１６３は、第１の放射線検出器及び第２の放射線検出器を指定した後に、第１の放射線検出器及び第２の放射線検出器を入れ替える入替指示を実行し、第２の放射線検出器の撮影に関する撮影設定情報の一部又は全部を第１の放射線検出器に関連付ける。撮影設定情報は、第２の放射線検出器のキャリブレーション情報、撮影角度情報、及び通信設定情報の少なくとも１つを含む。
【００９５】
＜放射線検出器情報の概略構成一例＞
図１１は、本実施形態における放射線撮影システム１００に登録される放射線検出器に関する情報（検出器情報）の一例を示す図である。
【００９６】
放射線撮影システム１００に登録される検出器情報１１００は、種別情報１１０１、個有情報１１０２、及び駆動設定情報１１０３を含む。
【００９７】
種別情報１１０１は、放射線検出器を分類するための情報であり、モデル名１１０１Ａや検出器種別１１０１Ｂを含む。個有情報１１０２は、放射線検出器ごとに付与される固有の情報であり、放射線検出器を一意に特定するためのシリアルナンバー（個別情報）１１０２Ａや、撮影画像を校正するための校正情報（キャリブレーション情報）１１０２Ｂなどを含む。駆動設定情報１１０３は、放射線検出器の撮影駆動のための設定情報であり、撮影台に設置された撮影角度情報１１０３Ａや、制御装置１１０との通信に関する通信設定情報１１０３Ｂなどを含む。
【００９８】
放射線検出器を入れ替える場合、使用していた放射線検出器と使用感が変化しないことが望ましい。撮影する際の検出器の角度設定である回転角度１１０３Ａや制御装置１１０と通信するための通信設定情報１１０３Ｂなどを含む駆動設定情報１１０３が変化しないように、入替処理において、第１の放射線検出器は第２の放射線検出器の駆動設定情報を承継する。
【００９９】
また、校正情報１１０２Ｂは、放射線検出器ごとに固有に設定されるべきであるが、同一モデルの放射線検出器を入れ替える場合は、第１の放射線検出器で再設定を行わずに、第２の放射線検出器の校正情報１１０２Ｂを流用することができる。この場合は、入替処理において、第１の放射線検出器（導入検出器）は第２の放射線検出器（解除検出器）の校正情報１１０２Ｂを承継する。
【０１００】
＜入替処理の一例＞
図１２は、入替処理に加えて、放射線検出器情報の承継処理の一例を示すフローチャートである。本実施形態は、第１の実施形態の図４を基に説明し、第１の実施形態と同様の構成、機能、及び動作についての説明は省略し、主に本実施形態との差異について説明する。
【０１０１】
ステップＳ４０６で第２の放射線検出器が指定されると、第２の放射線検出器の検出器情報から、回転角度１１０３Ａや、通信設定情報１１０３Ｂなどの承継対象の検出器情報が記憶装置などに保持される（ステップＳ１２０１）。その後、ステップＳ１２０１で保持された検出器情報が、第１の放射線検出器の検出器情報として、第１の放射線検出器に設定される（ステップＳ１２０２）。これにより、入替前後で放射線検出器の検出器情報が変化しないため、使用感が変わることなく撮影することが可能となる。
【０１０２】
本実施形態によれば、放射線検出器を導入する際に放射線検出器に撮影設定情報を関連付ける操作者の作業負荷及び作業ミスを低減させることができる。
【０１０３】
（第５の実施形態）
第４の実施形態では、放射線検出器の撮影設定情報を承継する手法について説明した。第５の実施形態では、解除された第２の放射線検出器を再導入する際、解除前の設定情報又は撮影設定情報を、再導入される第２の放射線検出器に再設定する例を説明する。この結果、解除検出器の解除前の状態に戻すことができる。
【０１０４】
本実施形態は、例えば、放射線撮影システム１００において登録（又は、使用）されている放射線検出器が故障した場合、同検出器を解除して、代替検出器を一時的に導入し、修理後に解除検出器を再導入する場合を想定している。
【０１０５】
なお、上記の実施形態と同様の構成、機能、及び動作についての説明は省略し、主に本実施形態との差異について説明する。
【０１０６】
情報制御部１６３は、第２の放射線検出器に関連付けられた設定情報を解除した後に、解除検出器が放射線撮影システム１００（又は、放射線撮影装置）に再導入された場合、解除前の解除検出器の設定情報（又は、撮影設定情報）の一部又は全部を、再導入された解除検出器に関連付ける。
【０１０７】
＜放射線検出器情報の概略構成一例＞
図１３は、本実施形態における放射線撮影システム１００に登録される放射線検出器に関する情報（検出器情報）の一例を示す図である。なお、本実施形態における種別情報１１０１や駆動設定情報１１０３などの構成は、図１１と同様であるため、説明を省略する。
【０１０８】
放射線撮影システム１００に登録される放射線検出器の情報は、運用情報１３０１を含む。運用情報１３０１は、放射線検出器の運用状態（使用状態など）を管理するための情報である。運用情報１３０１は、放射線検出器が「使用可」、「使用不可」、及び「代替検出器」の何れか１つの運用状態を示す運用状態情報１３０１Ａを含む。また、運用情報１３０１は、第２の放射線検出器（解除検出器）と入れ替えられた第１の放射線検出器（代替検出器）を特定するための代替検出器情報１３０１Ｂなどを含む。
【０１０９】
＜入替処理の一例＞
図１４は、代替検出器との入替前の第２の放射線検出器の情報を保持し、解除検出器を再導入する際に、解除検出器の解除前の状態に戻す処理の一例を示すフローチャートである。
【０１１０】
ステップＳ４０１で第１の放射線検出器が放射線撮影システム１００に登録されると、登録された第１の放射線検出器が設定情報に関連付けられているか否かが判定される（ステップＳ１４０１）。代替検出器を第１の放射線検出器として新たに導入する場合、代替検出器は、登録時に設定情報に関連付けられていない。このため、ステップＳ１４０１からステップＳ４０２以降に進み、第１の実施形態の入替処理と同様、第２の放射線検出器の設定情報を代替検出器に関連付けるとともに、運用情報１３０１の設定が行われる。
【０１１１】
ステップＳ１４０２で、情報制御部１６３は、第２の放射線検出器（解除検出器）の運用状態情報を「使用不可」に設定する。ステップＳ１４０３において、情報制御部１６３は、放射線撮影システム１００に登録された代替検出器の運用状態情報を「代替検出器」に設定する。
【０１１２】
ステップＳ１４０４で、第２の放射線検出器（解除検出器）の代替検出器情報１３０１Ｂに、代替検出器（第１の放射線検出器）を特定するための情報を設定する。これにより、第２の放射線検出器（解除検出器）に代替検出器情報が関連付けられ、代替検出器を特定できる状態となり、放射線撮影システム１００に登録された代替検出器による運用が可能となる。
【０１１３】
＜復帰処理及び解除処理の一例＞
次に、第２の放射線検出器（解除検出器）を修理後に再導入する場合を説明する。ステップＳ４０１において、修理後の第２の放射線検出器（解除検出器）が再導入される場合、第２の放射線検出器（再導入検出器）は、登録時に設定情報に関連付けられているため、ステップＳ１４０１からステップＳ１４１０以降に進む。そして、第２の放射線検出器（再導入検出器）の復帰処理と代替検出器の解除処理とが行われる。
【０１１４】
ステップＳ１４１０において、情報制御部１６３は、ステップＳ４０１で登録された第２の放射線検出器（再導入検出器）の情報を、シリアルナンバー１１０２Ａなどを用いて特定する。ステップＳ１４１１において、情報制御部１６３は、第２の放射線検出器（再導入検出器）の運用状態情報１３０１Ａが「使用不可」であるか否か、及び第２の放射線検出器（再導入検出器）に代替検出器情報１３０１Ｂが設定されているか否かを判定する。
【０１１５】
運用状況情報１３０１Ａが「使用不可」でない場合、又は代替検出器情報１３０１Ｂが設定されていない場合は、第２の放射線検出器（再導入検出器）の代替検出器が導入されていないと判断され、処理は終了する。
【０１１６】
ステップＳ１４１１において、運用状態情報１３０１Ａが「使用不可」であり、代替検出器情報１３０１Ｂが設定されていると判定された場合、ステップＳ１４１２に進む。ステップＳ１４１２で、情報制御部１６３は、代替検出器情報１３０１Ｂを用いて、第１の放射線検出器（代替検出器）を特定する。つまり、情報制御部１６３は、第２の放射線検出器と入れ替えられた代替検出器を特定するための代替検出器情報に基づいて、第１の放射線検出器を特定する。
【０１１７】
ステップＳ１４１３で、代替検出器は放射線撮影システム１００から解除される。ステップＳ１４１３の解除処理では、代替検出器と設定情報との関連付けが解除される。つまり、情報制御部１６３は、解除前の第２の放射線検出器の撮影設定情報の一部又は全部を、解除後の第２の放射線検出器に関連付ける場合、第１の放射線検出器（代替検出器）に関連付けられた設定情報を解除する。
【０１１８】
ステップＳ１４１４において、情報制御部１６３は、再導入された第２の放射線検出器の運用状態情報１３０１Ａを「使用可」に設定し、解除前の設定情報又は撮影設定情報を第２の放射線検出器に再設定する。つまり、情報制御部１６３は、放射線検出器の運用状態を管理するための運用状態情報に基づいて、解除後の第２の放射線検出器を使用可とすることで、解除前の設定情報又は撮影設定情報を解除後の前記第２の放射線検出器へ関連付ける。
【０１１９】
ステップＳ１４１５において、情報制御部１６３は、再導入された第２の放射線検出器の代替検出器情報１３０１Ｂから、代替検出器（第１の放射線検出器）を特定するための情報を削除する。
【０１２０】
これにより、放射線撮影システム１００から解除された第２の放射線検出器（解除検出器）が放射線撮影システム１００に再導入され、解除検出器の解除前の状態に戻すことができ、解除前と同じ状態で運用が可能となる。
【０１２１】
本実施形態によれば、放射線検出器を再導入する際に放射線検出器に設定情報又は撮影設定情報を関連付ける操作者の作業負荷及び作業ミスを低減させることができる。
【０１２２】
（第６の実施形態）
第１乃至第５の実施形態では、１つの放射線撮影システム１００で放射線検出器の入替処理が実施される例を説明した。第６の実施形態では、複数の放射線撮影システムで共有される放射線検出器が存在し、該放射線検出器が第２の放射線検出器（解除検出器）として入れ替えられる場合の例を説明する。
【０１２３】
なお、上記の実施形態と同様の構成、機能、及び動作についての説明は省略し、主に本実施形態との差異について説明する。
【０１２４】
本実施形態は、可搬型ワイヤレス放射線検出器のように、特定の撮影台に固定的に設置されず、他の撮影台に容易に移動設置可能である放射線検出器を使用する場合を想定している。
【０１２５】
＜放射線撮影システムの概略構成＞
図１５は、本実施形態を実現するための複数の放射線撮影システムのシステム構成の一例を示す図である。図１５では、本実施形態に関わる箇所のみを記載し、図１と重複する記載は省略する。また、上記の実施形態と同様の構成、機能、及び動作についての説明は省略し、主に本実施形態との差異について説明する。
【０１２６】
第１の放射線撮影システム１５００及び第２の放射線撮影システム１５１０では、設定情報が設定されている放射線検出器（第２の放射線検出器）１５２０を使用して放射線画像撮影を行う。そのため、第１の放射線撮影システム１５００の制御装置１５０１及び第２の放射線撮影システム１５１０の制御装置１５１１には、放射線検出器１５２０の情報（設定情報、撮影設定情報、及び運用情報など）が設定されている。制御装置１５０１，１５１１は、相互にネットワーク１２０で通信することができる。
【０１２７】
第１の放射線撮影システム１５００及び第２の放射線撮影システム１５１０には、放射線検出器（導入検出器）１５３０の設定情報が設定されていないため、放射線検出器（導入検出器）１５３０は使用できない。
【０１２８】
＜入替処理の一例＞
図１６は、本実施形態における第１の放射線撮影システム１５００で入替処理が実施された場合に、第２の放射線撮影システム１５１０でも同様の入替処理が行われる例を示すフローチャートである。本実施形態は、第１の実施形態の図４を基に説明し、第１の実施形態と同様の構成、機能、及び動作についての説明は省略し、主に本実施形態との差異について説明する。
【０１２９】
ステップＳ４０１で第１の放射線検出器（導入検出器）１５３０が放射線撮影システム（例えば、第１の放射線撮影システム１５００）に登録されると、ステップＳ４０２以降で入替処理が実施される。入替処理が終了すると、ステップＳ１６０１で、ネットワーク１２０上に未処理の放射線撮影システムが存在するか否かが判定される。ネットワーク１２０上のすべての放射線撮影システムに入替処理が実施されている場合は、処理を終了する。
【０１３０】
入替処理が未実施である放射線撮影システム（例えば、第２の放射線撮影システム１５１０）が存在する場合は、該放射線撮影システムに対して登録された第１の放射線検出器（導入検出器）１５３０を指定し、入替処理を行う（ステップＳ１６０２）。
【０１３１】
例えば、第１の検出器指定部１６１は、第１の放射線撮影システム１５００において設定情報が関連付けられた第１の放射線検出器１５３０を指定する。第２の検出器指定部１６２は、第１の放射線撮影システム１５００及び第２の放射線撮影システム１５１０に登録され、第１の放射線撮影システム１５００及び第２の放射線撮影システム１５１０における設定情報に関連付けられている第２の放射線検出器１５２０を指定する。情報制御部１６３は、第１の放射線検出器１５３０及び第２の放射線検出器１５２０を入れ替える入替指示を実行し、第１の放射線検出器１５３０に第２の放射線検出器１５２０の設定情報の一部又は全部を関連付ける。
【０１３２】
この判定処理と入替処理を繰り返し実施し、ネットワーク１２０上の複数の放射線撮影システムに入替処理を適用する。これにより、１つの放射線撮影システムで入替処理が行われると、ネットワーク１２０上の他の放射線撮影システムで入替処理が行われ、第１の放射線検出器（導入検出器）１５３０が複数の放射線撮影システムで運用可能となる。なお、他の放射線撮影システムは、任意に選択されてもよいし、所定の条件に従って自動的に選択されてもよい。
【０１３３】
本実施形態によれば、放射線検出器を複数の放射線撮影システムに導入する際に放射線検出器に設定情報を関連付ける操作者の作業負荷及び作業ミスを低減させることができる。
【０１３４】
（第７の実施形態）
放射線検出器は、医薬品医療機器等法において設置管理医療機器と定められており、正しく設置されているかどうかを管理される必要がある。そのため、本発明においても、入替処理を実施するために権限設定を設けることが望ましい。第７の実施形態では、上記の実施形態における入替処理を実施するために、ログイン画面を設けた場合の例を説明する。つまり、放射線撮影システム１００は、ログイン機能を有する。
【０１３５】
なお、上記の実施形態と同様の構成、機能、及び動作についての説明は省略し、主に本実施形態との差異について説明する。
【０１３６】
＜ログイン画面の一例＞
図１７は、本実施形態を実現するためのログイン画面の一例を示す図である。ログイン画面１７００は、ユーザー名入力領域１７０１、パスワード入力領域１７０２、及びログイン指示領域１７０３を有している。
【０１３７】
ユーザー名入力領域１７０１は、入替処理を行うユーザー名を指定するため領域で、テキストボックスなどを含み、キーボードなどの操作部１１２を介して設定することができる。パスワード入力領域１７０２は、ユーザー名入力領域１７０１で指定されたユーザー名に対応するパスワードを指定するため領域で、テキストボックスなどを含み、キーボードなどの操作部１１２を介して設定することができる。ログイン指示領域１７０３は、ログイン実行及び入替処理の開始を指示するボタンである。
【０１３８】
ユーザー名入力領域１７０１及びパスワード入力領域１７０２の両方が入力されていない場合、ログイン指示領域１７０３のボタンは無効となる。ログイン指示領域１７０３が押下され、ログイン処理が成功した場合、図５又は図７に示す入替情報画面ＧＵＩ（入替情報画面５００，７００）が表示される。ログイン処理が失敗した場合、入替情報画面ＧＵＩは表示されず、ログイン処理が失敗した旨を操作者に通知する。
【０１３９】
操作者は、操作部１１２を介して各ボタンなどを選択指示することができる。また、表示部１１１がタッチパネルである場合、設定情報画面２００又は設定情報追加画面３００をタッチ操作することで各ボタンなどを選択指示してもよい。
【０１４０】
（その他の実施形態）
以上、本発明にかかる実施形態について説明したが、本発明はこれらに限定されるものではなく、請求項に記載された範囲内において変更・変形することが可能である。
【０１４１】
第１の放射線検出器（導入検出器）を指定する場合、図１８に示すように、第１の検出器指定部１６１は、放射線撮影システム１００に登録された複数の放射線検出器から第１の放射線検出器を選択してもよい。例えば、導入検出器情報１８００のチェックボックス１８０１にチェックすることで、第１の放射線検出器が選択的に指定されてもよい。また、第１の放射線検出器に、登録の時間情報（最終更新日時など）が関連付けられてもよい。
【０１４２】
また、図５、図７、及び図１０のように、導入検出器情報と解除検出器情報を一画面に表示せずに、図１８に示す導入検出器情報１８００を画面に表示してもよい。そして、第１の放射線検出器が指定された後に、遷移指示領域１８０２が押下されることにより、導入検出器情報１８００から図１９に示す参照検出器情報１９００に画面が遷移してもよい。参照検出器情報１９００には、指定された第１の放射線検出器が表示されてもよいし、第２の放射線検出器（参照検出器）に設定された設定情報の時間情報（最終更新日時など）が表示されてもよい。
【０１４３】
また、図７と同様、第１の放射線検出器と種別情報が一致しないと、第２の放射線検出器を指定するチェックボックス１９１２にチェックをすることはできないようにしてもよい。また、表示部１１１は、第１の放射線検出器と種別情報が一致する第２の放射線検出器を優先的に表示してもよいし、第１の放射線検出器と種別情報が一致しない第２の放射線検出器を表示しないようにしてもよい。また、第１の放射線検出器と種別情報が一致する第２の放射線検出器が存在しない場合は、「追加/入替ができません」などの第２の放射線検出器が存在しない旨が操作者に通知されてもよい。
【０１４４】
また、追加指示部１９１３は、第２の放射線検出器に設定情報を関連付けるためのボタンである。追加指示部１９１３が押下されると、情報制御部１６３は、第１の放射線検出器（導入検出器）に第２の放射線検出器（参照検出器）の設定情報の一部又は全部を関連付ける。そして、図２の設定情報画面２００の設定機器一覧２１０において、第１の放射線検出器が、第２の放射線検出器の設定情報と関連付けられた状態（第１の放射線検出器のチェックボックス２１０Ａがチェックされた状態）で表示される。
【０１４５】
この場合、情報制御部１６３は、第２の放射線検出器（参照検出器）に関連付けられた設定情報を解除しない。したがって、第２の放射線検出器のチェックボックス２１０Ａのチェックは解除されない。
【０１４６】
入替指示部１９１４は、第１の放射線検出器及び第２の放射線検出器を入れ替え、第１の放射線検出器に第２の放射線検出器の設定情報を関連付ける入替指示を実行するボタンである。この場合、情報制御部１６３は、第２の放射線検出器（参照検出器）に関連付けられた設定情報を解除する。したがって、設定情報画面２００の設定機器一覧２１０において、第２の放射線検出器が、設定情報との関連付けを解除された状態（第２の放射線検出器のチェックボックス２１０Ａのチェックが解除された状態）で表示される。
【０１４７】
追加指示部１９１３又は入替指示部１９１４が押下されると、設定情報画面２００が表示される。また、取消指示部１９０３から作成取り消し指示が実行されると、参照検出器情報１９００の表示を終了する。
【０１４８】
また、情報制御部１６３は、第２の放射線検出器の情報（設定情報、撮影設定情報、及び運用情報）の一部を選択的に第１の放射線検出器に関連付けてもよい。図２０及び図２１は、第２の放射線検出器の設定情報の一部を選択的に第１の放射線検出器に関連付けることを説明する図である。
【０１４９】
図２０に示すように、参照検出器情報２０００において、チェックボックス１９１２にチェックをすることにより、第２の放射線検出器が指定される。指定された第２の放射線検出器の設定情報のチェックボックス２０２０にチェックをすることにより、第２の放射線検出器の設定情報が指定される。情報制御部１６３は、指定された第２の放射線検出器の設定情報を第１の放射線検出器に関連付ける。
【０１５０】
図２１に示すように、参照検出器情報２１００において、第１の放射線検出器と種別情報が一致する第２の放射線検出が抽出され、チェックボックス２１２０にチェックをすることにより、第２の放射線検出器の設定情報が指定されてもよい。情報制御部１６３は、指定された第２の放射線検出器の設定情報を第１の放射線検出器に関連付ける。この場合、情報制御部１６３は、複数の第２の放射線検出器から指定された設定情報を第１の放射線検出器に関連付けてもよい。
【０１５１】
図２０及び図２１に示すように、第１の放射線検出器と種別情報が一致しないと、第２の放射線検出器の情報を指定するチェックボックス２０２０，２１２０にチェックをすることはできないようにしてもよい。
【０１５２】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【０１５３】
１００  放射線撮影システム
１１０，１５０１，１５１０  制御装置
１１１  表示部
１１２  操作部
１１４  放射線発生部
１１５，９０１、１５２０，１５３０  放射線検出器
１２０  ネットワーク
１６１  第１の検出器指定部
１６２  第２の検出器指定部
１６３  情報制御部
２００  設定情報画面
３００  設定情報追加画面
５００，７００，１０００  入替情報画面    ９００  検出器通信部
１５００  第１の放射線撮影システム      １５１０  第２の放射線撮影システム
【図１】
2018000651.tif 000003
【図２】
2018000651.tif 000004
【図３】
2018000651.tif 000005
【図４】
2018000651.tif 000006
【図５】
2018000651.tif 000007
【図６】
2018000651.tif 000008
【図７】
2018000651.tif 000009
【図８】
2018000651.tif 000010
【図９】
2018000651.tif 000011
【図１０】
2018000651.tif 000012
【図１１】
2018000651.tif 000013
【図１２】
2018000651.tif 000014
【図１３】
2018000651.tif 000015
【図１４】
2018000651.tif 000016
【図１５】
2018000651.tif 000017
【図１６】
2018000651.tif 000018
【図１７】
2018000651.tif 000019
【図１８】
2018000651.tif 000020
【図１９】
2018000651.tif 000021
【図２０】
2018000651.tif 000022
【図２１】
2018000651.tif 000023